(57)【要約】【課題】  、手差し給紙装置を格納するときに予め延長トレイ部が引き戻される手差し給紙装置を提供すること。【解決手段】  手差しトレイ部５としてメイントレイ部６と、このメイントレイ部から転写紙搬送方向と平行に引き出し可能な延長トレイ部８と具備する手差し給紙装置において、メイントレイ部と延長トレイ部の接触部に、延長トレイ部を移動させるときに所定の摩擦力の値αを発生させる第１の摩擦部材１０を配置し、延長トレイ部と最下に配置される転写紙との接触箇所に前記最下位に配置される転写紙が給紙されるとき所定の摩擦力の値βを発生させる第２の摩擦部材１１を配置し、値αを値βより小とし、引き出した延長トレイ部８の自重による戻り力の値をγとしたときに、前記値αを値γより大とした。【選択図】        図４
2006298625.tif 000002
【特許請求の範囲】
【請求項１】
手差しトレイ部としてメイントレイ部と、このメイントレイ部から転写紙搬送方向と平行に引き出し可能な延長トレイ部と具備する手差し給紙装置において、
メイントレイ部と延長トレイ部の接触部に、延長トレイ部を移動させるときに所定の摩擦力の値αを発生させる第１の摩擦部材を配置し、
延長トレイ部と最下に配置される転写紙との接触箇所に前記最下位に配置される転写紙が給紙されるとき所定の摩擦力の値βを発生させる第２の摩擦部材を配置し、
値αを値βより小としたことを特徴とする手差し給紙装置。
【請求項２】
請求項１に記載の手差し給紙装置において、引き出した延長トレイ部の自重による戻り力の値をγとしたときに、前記値αを値γより大としたことを特徴とする手差し給紙装置。
【請求項３】
画像形成装置に配置されることを特徴とする請求項１または２の手差し給紙装置。
【請求項４】
請求項１または２の手差し給紙装置を具備したことを特徴とする画像形成装置。
【発明の詳細な説明】
【技術分野】
【０００１】
本発明は手差し給紙装置、画像形成装置に係り、特に手差しトレイ部としてメイントレイ部と、このメイントレイ部から転写紙搬送方向と平行に引き出し可能な延長トレイ部と具備する手差し給紙装置に関する。
【背景技術】
【０００２】
手差し給紙装置は、不使用時には、画像形成装置に格納され、使用時に画像形成装置から給紙トレイ部を機外に配置できるようにするものが多い。また、機器本体への設置レイアウト制約から、給紙トレイ部はメイントレイ部から長手方向に延長できる延長トレイ部を備えた折り畳式のものが使用される。このような給紙トレイ部として、給紙部に接続されたメイントレイ部と、このメイントレイ部から転写紙搬送方向と平行に引き出し可能な延長トレイ部と具備するものがある。
【０００３】
このような手差し給紙装置においては、転写紙を手差し給紙するときには、メイントレイ部を画像形成装置本体から展開し、さら給紙トレイ部で転写紙が保持できる長さになるよう延長トレイ部を引き出す。また、手差し給紙が終了したときには、延長トレイ部をメイントレイ部に収納し、給紙トレイを画像形成装置に収納するようにしている。
【０００４】
このような手差し給紙装置として以下のようなものが提案されている。特許文献１には、構造が簡単で安価でありロック機能を有する手差しトレイを備えた画像形成装置を提供するため、装置本体に下端部が軸支され、装置本体に収納した位置と用紙を補給する位置とに回動可能であり、大サイズ紙後端を保持するためのスライドによる伸縮が自在な延長部材を有する手差しトレイを備えた画像形成装置において、収納時に係合し、用紙補給時に係合を解除する係合部を装置本体に設け、被係合部を延長部材に設けたものが記載されている
【０００５】
特許文献２には、延長可能な画像形成装置の手差しトレイにおいて、使用時には延長板が延長位置に固定され、収納時には延長板の固定が容易に解除されるようにするため載置トレイと延長トレイ部とを備え、載置トレイは、下端部が回動自在に支持され、ガイド部を有すするものとし、延長トレイ部は、載置トレイのガイド部にスライド自在に係合する係合部を有し、載置トレイに重なり合う縮退位置と、載置トレイ２から引き延ばされて回動する延長位置とを取り得、使用状態では、延長トレイ部が回動して係合部の搬送方向端部がガイド部に対して延長トレイ部の重量により圧接されてロックされ、延長トレイ部の引き戻りを抑えルことができ、使用状態から退避状態に移行する際には、延長トレイ部が回動して係合部の搬送方向端部のガイド部に対する圧接が解除され、延長トレイ部が自然
落下することにより延長トレイ部が延長位置から縮退位置に移行するものが記載されている。
【０００６】
【特許文献１】特開２００３−１７６０６４号公報
【特許文献２】特開２００３−３１２９０４号公報
【発明の開示】
【発明が解決しようとする課題】
【０００７】
しかしながら、この延長トレイ部はユーザーが使用時に引き出位置に引き出したものを手差し給紙のメイントレイ部を閉じるときに都度、縮退位置に収納する必要があり煩雑であった。また、延長トレイ部を収納しない状態で手差しトレイを画像形成装置に収納しようとすると給紙トレイが破損するという問題があった。本発明は、上述した従来の問題点にかんがみ成されたものであって、手差し給紙装置を格納するときに予め延長トレイ部が引き戻される手差し給紙装置を提供することを目的とする。
【課題を解決するための手段】
【０００８】
請求項１の発明は、手差しトレイ部としてメイントレイ部と、このメイントレイ部から転写紙搬送方向と平行に引き出し可能な延長トレイ部と具備する手差し給紙装置において、メイントレイ部と延長トレイ部の接触部に、延長トレイ部を移動させるときに所定の摩擦力の値αを発生させる第１の摩擦部材を配置し、延長トレイ部と最下に配置される転写紙との接触箇所に前記最下位に配置される転写紙が給紙されるとき所定の摩擦力の値βを発生させる第２の摩擦部材を配置し、値αを値βより小としたことを特徴とする。
【０００９】
請求項２の発明は、請求項１の手差し給紙装置において、請求項１に記載の手差し給紙装置において、引き出した延長トレイ部の自重による戻り力の値をγとしたときに、前記値αを値γより大としたことを特徴とする。
【００１０】
請求項３の発明は、請求項１または２の手差し給紙装置において、画像形成装置に配置されることを特徴とする。
【００１１】
請求項４の発明は、画像形成装置において、請求項１または２の手差し給紙装置を具備したことを特徴とする画像形成装置である。
【発明の効果】
【００１２】
本発明によれば、最下の転写紙が給紙されると共に引き出されていた延長トレイ部がメイントレイ部に引き戻され、手差し給紙装置を閉じるときに予め延長トレイ部を収納する必要がなくなる。
【発明を実施するための最良の形態】
【００１３】
以下本発明を実施するための最良の形態を、図に示す実施例を参照して説明する。
【実施例】
【００１４】
以下本発明に係る画像形成装置及び手差し給紙装置の実施例を図面に基づいて説明する。図１は実施例に係る画像形成装置の斜視図、図２は実施例に係る手差し給紙装置を示す斜視図、図３は実施例に係る手差し給紙装置の収納状態を示す側面図、図４は実施例に係る手差し給紙装置の使用状態を示す側面図である。
【００１５】
本例に係る画像形成装置１は、画像形成装置１本体の側面部に手差し給紙装置２が付けられている。この給紙装置２は、図２に示すように、画像形成装置１に固定されている手差し給紙サブユニット４と開閉する手差しトレイサブユニット３からなる。
【００１６】
手差しトレイサブユニット３は画像形成装置１に支軸１３で回動自在に支持されているまた、外装カバーを兼ねる手差しカバー５は、サイドフェンス７を備え転写用紙９が積載されるメイントレイ部６と連結されており、長手用紙の積載時に引き出して用いる延長トレイ部８が備えられている。本例では、延長トレイ部８は不使用時や手差しカバー５を閉じるときには手差しカバー５内にスライドして格納できるものとしている。
【００１７】
また、図４に示すように、手差しカバー５には、延長トレイ部８との接触部に第１の摩擦部材１０が配置されている。また、延長トレイ部８の先端部であり、転写用紙９の下面に接触する部分には第２の摩擦部材１１が配置されている。
【００１８】
本例では、第１の摩擦部材１０は延長トレイ部８を移動させるときに所定の摩擦力の値αを発生させ、また、第２の摩擦部材は、最下に配置される転写紙との接触箇所に前記最下位に配置される転写紙が給紙されるとき所定の摩擦力の値βを発生させる。そして、本例では値αを値βより小とするようにしている。
【００１９】
また、本例では、延長トレイ部８の使用状態における自重による手差しカバー５側への戻り力の値をγとしたときに、前記値αを値γより大としている。
【００２０】
本例では、延長トレイ部８の使用時に手差しメイントレイ部６から引き出した際の状態は手差しメイントレイ部６に取り付いている第１の摩擦部材１０と延長トレイ部８の静止摩擦力により維持される。このときの摩擦力が値αである。
【００２１】
延長トレイ部８の戻り力は手差しトレイサブユニット３の開き角度から来る自重での戻り方向への力成分で、その戻り力が上記値γである。このとき延長トレイ部８引き出し状態の維持には以下の関係が成立すればよい。
α＞γ
【００２２】
また、延長トレイ部最後部上面には積載用紙の最下段紙が当接する位置に第２の摩擦部材１１が取り付けられており、最下段紙が給紙部によりフィードを開始されると、用紙は搬送方向に送り出される。そうする事により用紙下面と第２の摩擦部材１１との接触面に摩擦力が発生する。その摩擦力が値βである。この時、延長トレイ部８が最終の転写用紙の搬送と共に引き戻されるには以下の関係が成立すればよい。
β＞α
【００２３】
以上の条件を満たすことにより、延長トレイ部８を引き出して使用し、用紙搬送完了（最下段紙の給紙完了）とともにユーザーの手を介さず延長トレイ部を格納することができる。これを総合すると
γ＜α＜β
の関係を持った第１の摩擦部材１０及び第２の摩擦部材１１を用いることにより最終の転写紙が給紙されると同時に引き出されていた延長トレイ部がメイントレイ部に引き戻され、手差し給紙装置を閉じるときに前もって延長トレイ部を引き戻す必要がなくなる。
【００２４】
なお載置された転写用紙のうち最終以前の用紙はその次の用紙上を摺動していくので一般に摩擦力は値γより小さく延長トレイ部８を移動させることはない。
【図面の簡単な説明】
【００２５】
【図１】実施例に係る画像形成装置の斜視図である。
【図２】実施例に係る手差し給紙装置を示す斜視図である。
【図３】実施例に係る手差し給紙装置の収納状態を示す側面図である。
【図４】実施例に係る手差し給紙装置の使用状態を示す側面図である。
【符号の説明】
【００２６】
１：画像形成装置本体
２：手差しユニット
３：手差しトレイサブユニット
４：手差し給紙サブユニット
５：手差しトレイ部（外装カバー）
６：メイントレイ部
７：サイドフェンス
８：延長トレイ部
９：転写用紙
１０：第１の摩擦部材
１１：第２の摩擦部材
１３：支軸
【図１】
2006298625.tif 000003
【図２】
2006298625.tif 000004
【図３】
2006298625.tif 000005
【図４】
2006298625.tif 000006